(57)【要約】      （修正有）【課題】電話機をオフィス内の机間に設けられたパーテーションに、穴を開けることなく、ユーザにとって使用しやすいように取り付けることを可能にした取付用ブラケットを提供する。【解決手段】立設されたパーテーションＰに電話機Ｔを配置するための取付用ブラケットは、パーテーションＰの裏面Ｐ１に当接し、断面がＬ字状である第１プレート２と、パーテーションＰの表面Ｐ２に当接し、断面がパーテーションＰの表面Ｐ２に向かって開放した異形Ｃ字状である第２プレート３とを備える。第１プレート２の第１面２１又は第２面２２と第２プレート３の上部の第１面３１がパーテーションＰの天面Ｐ３上において遊嵌するように取り付けられ、第２プレート３がその第１面３１からパーテーションＰの表面Ｐ２から離間する方向に鈍角αをもって垂下し電話機Ｔを搭載する第２面３２を有する。【選択図】図３
2019033314.tif 000002
【特許請求の範囲】
【請求項１】
立設されたパーテーションに電話機を配置するための取付用ブラケットであって、
前記パーテーションの裏面に当接し、断面がＬ字状である第１プレートと、
前記パーテーションの表面に当接し、断面が前記パーテーションの前記表面に向かって
開放した異形Ｃ字状である第２プレートと、を備え、
前記第１プレートの第１面又は第２面と前記第２プレートの上部の第１面が、前記パー
テーションの天面上において、遊嵌するように取り付けられ、
前記第２プレートが、その第１面から前記パーテーションの前記表面から離間する方向
に鈍角をもって垂下し、前記電話機を搭載する第２面を有することを特徴とする取付用ブ
ラケット。
【請求項２】
前記第２プレートが、その第２面に、前記電話機の裏面に所定のピッチで設けられた壁
掛け穴と係合する係合部を有すること特徴とする請求項１に記載の取付用ブラケット。
【請求項３】
前記第２プレートが、その第２面の下部から鋭角をもって前記パーテーションの前記表
面に向かって延在する第３面と、前記第３面の端部から前記パーテーションの前記表面に
沿って延在する第４面とを有し、
前記第４面に前記パーテーションの前記表面との距離を調整する第１調整部材が設けら
れることを特徴とする請求項１又は２に記載の取付用ブラケット。
【請求項４】
前記第２プレートの前記第２面の上部に前記パーテーションの前記表面との距離を調整
する第２調整部材が設けられることを特徴とする請求項１から３のいずれか１項に記載の
取付用ブラケット。
【請求項５】
前記パーテーションの前記裏面に当接する別の第２プレートをさらに備え、
前記第１プレートの前記第１面又は前記第２面と前記第２プレートの前記第１面と前記
別の第２プレートの第１面が、前記パーテーションの天面上において、遊嵌するように取
り付けられることを特徴とする請求項１から４のいずれか１項に記載の取付用ブラケット
。
【発明の詳細な説明】
【技術分野】
【０００１】
本発明は、電話機を配置する取付用ブラケットに関し、特に、オフィス等で机間を仕切
るために立設されているパーテーションに電話機を配置する取付用ブラケットに関する。
【背景技術】
【０００２】
従来、オフィス等で使用されるビジネスホン（固定電話機）は、机の上に置かれて据え
置き状態で使用されるか、壁に取り付けて使用されることを想定して作られているものが
多い。机の上で使用する場合は、ユーザのボタン操作がしやすいように電話機の裏面のべ
ースに取り付けられた開閉自在のスタンドを開いて電話機に角度をつけて使用され、壁に
取り付けて使用される場合は、壁上のスイッチボックスの取付穴に係合部を設け、スタン
ドを閉じた状態にして電話機側に穿設されている壁掛け穴を引っ掛けて固定して使用され
る。これらの卓上用及び壁掛け用を兼用できるタイプの電話機も、知られている（例えば
、特許文献１参照）。
（特許文献１）
【０００３】
しかしながら、机の上に電話機を設置すると一定範囲のスペースが占有され、例えば電
話機の上に書類が置かれたような状態が発生し、電話機の機能をなしていないことが多々
ある。また、壁に電話機を取り付けると、ユーザとの間で距離が生じてしまい、すぐに電
話機を取れないという不都合がある。これに対し、近年ではオフィス内の机間がパーテー
ションで仕切られていることも多く、このパーテーションに電話機を取り付けていること
がある。しかし、多くの場合、壁掛けのように適当な係合部がなかったり、また、パーテ
ーションがレンタル品の場合は係合部やネジ等を取り付けるための穴が開けることができ
なかったりという事情があるため、紐やマジックテープ（登録商標）のようなもので固定
して使用することにより、不安定で操作性が良くないという問題があった。
【先行技術文献】
【特許文献】
【０００４】
【特許文献１】特開２００７ー９６８７８号公報
【発明の概要】
【発明が解決しようとする課題】
【０００５】
本発明は、かかる課題に鑑みなされたものであり、電話機をオフィス内の机間に設けら
れたパーテーションに、穴を開けることなく、ユーザにとって使用しやすいように取り付
けることを可能にした取付用ブラケットを提供することを目的とする。
【課題を解決するための手段】
【０００６】
上記した課題を解決するために、本発明は、以下の態様によって把握される。
（１）本発明に係る態様は、立設されたパーテーションに電話機を配置するための取付用
ブラケットであって、前記パーテーションの裏面に当接し、断面がＬ字状である第１プレ
ートと、前記パーテーションの表面に当接し、断面が前記パーテーションの前記表面に向
かって開放した異形Ｃ字状である第２プレートと、を備え、前記第１プレートの第１面又
は第２面と前記第２プレートの上部の第１面が、前記パーテーションの天面上において、
遊嵌するように取り付けられ、前記第２プレートが、その第１面から前記パーテーション
の前記表面から離間する方向に鈍角をもって垂下し、前記電話機を搭載する第２面を有す
ることを特徴とする。
【０００７】
（２）上記（１）に記載の構成において、前記第２プレートが、その第２面に、前記電話
機の裏面に所定のピッチで設けられた壁掛け穴と係合する係合部を有する。
【０００８】
（３）上記（１）又は（２）に記載の構成において、前記第２プレートが、その第２面の
下部から鋭角をもって前記パーテーションの前記表面に向かって延在する第３面と、前記
第３面の端部から前記パーテーションの前記表面に沿って延在する第４面とを有し、前記
第４面に前記パーテーションの前記表面との距離を調整する第１調整部材が設けられる。
【０００９】
（４）上記（１）から（３）のいずれか１つに記載の構成において、前記第２プレートの
前記第２面の上部に前記パーテーションの前記表面との距離を調整する第２調整部材が設
けられる。
【００１０】
（５）上記（１）から（４）のいずれか１つに記載の構成において、前記パーテーション
の前記裏面に当接する別の第２プレートをさらに備え、前記第１プレートの前記第１面又
は前記第２面と前記第２プレートの前記第１面と前記別の第２プレートの第１面が、前記
パーテーションの天面上において、遊嵌するように取り付けられる。
【発明の効果】
【００１１】
本発明によれば、電話機をオフィス内の机間に設けられたパーテーションに、穴を開け
ることなく、ユーザにとって使用しやすいように取り付けることを可能にした取付用ブラ
ケットを提供することができる。
【図面の簡単な説明】
【００１２】
【図１】本発明の実施形態に係る取付用ブラケットを説明する図であって、（ａ）は第１プレートの正面、平面及び側面を示す図、（ｂ）は第２プレートの正面、平面及び側面を示す図である。
【図２】取付用ブラケットの第１プレートと第２プレートの位置関係を説明する図であって、（ａ）は組立前の分解斜視図、（ｂ）は組立後の斜視図である。
【図３】取付用ブラケットをパーテーションに取り付けた状態を示す図であって、パーテーションの厚みが相対的に厚い場合である。
【図４】取付用ブラケットをパーテーションに取り付けた状態を示す図であって、パーテーションの厚みが相対的に中程度の場合である。
【図５】取付用ブラケットをパーテーションに取り付けた状態を示す図であって、パーテーションの厚みが相対的に薄い場合である。
【図６】取付用ブラケットをパーテーションに取り付けた状態を示す図であって、電話機の下部が手前側となるように設定した場合である。
【図７】取付用ブラケットをパーテーションに取り付けた状態を示す図であって、電話機の上部が手前側となるように設定した場合である。
【図８】取付用ブラケットをパーテーションに取り付けた状態を示す図であって、パーテーションの両面に合わせて２つの電話機を配置した場合である。
【発明を実施するための形態】
【００１３】
以下、添付図面を参照して、本発明の実施形態について詳細に説明するが、各図におい
て、同一符号は同一又は対応する部分を示す。また、本発明は、以下の説明からも明らか
なようにこれらの実施形態に限定されるものではなく、発明の要旨の範囲内において当業
者であれば種々の変形が可能である。
【００１４】
まず、取付用ブラケット１の全体構成を説明する。図１（ａ）及び図１（ｂ）に示すよ
うに、取付用ブラケット１は、第１プレート２と、第２プレート３とを備えている。第１
プレート２と第２プレート３は、後述するように、第１プレート２の第１面２１又は第２
面２２と第２プレート３の第１面３１をネジ止めすることによって遊嵌される。第１プレ
ート２の第１面２１と第２面２２のいずれを第２プレート３の第１面３１にネジ止めする
かは選択的であり、それらの具体的な態様については、後述する。
【００１５】
第１プレート２は、図１（ａ）に示すように、側面視したときに、断面がＬ字状となっ
ており、Ｌ字の長辺を構成する第１面２１と、Ｌ字の短辺を構成する第２面２２とから構
成されている。第１面２１及び第２面２２には、第２プレート３の第１面３１とネジ止め
するためのネジ孔２１ａ及びネジ孔２２ａがそれぞれ設けられている。
【００１６】
ネジ孔２１ａ及びネジ孔２２ａは、ここでは、それぞれ前後左右の計４か所設けられた
例を示している。ネジ孔２１ａ及びネジ孔２２ａを前後２つ設けた理由は、後述するよう
に、取付用ブラケット１を様々な厚みのパーテーションＰに対応させるためである。左右
のネジ孔２１ａ同士の幅と左右のネジ孔２２ａ同士の幅は、同一に設定されている。なお
、ここで、「前後」とは、取付用ブラケット１をパーテーションＰに取り付けたときに、
ユーザからみて手前側を「前」と、奥側を「後」という。
【００１７】
第２プレート３は、図１（ｂ）に示すように、側面視したときに、断面が異形のＣ字状
となっており、通常の使用態様において上から順に、上辺を構成する第１面３１と、側辺
を構成する第２面３２と、下辺を構成する第３面３３と、第３面３３から折り返される屈
曲辺を構成する第４面３４とから構成されている。
【００１８】
第２プレート３の第１面３１は、通常の使用状態において水平に延在しており、第１プ
レート２の第１面２１又は第２面２２に遊嵌される。第１面３１には、第１プレート２の
第１面２１又は第２面２２とネジ止めするための長孔３１ａが設けられている。第１プレ
ート２のネジ孔２１ａ及びネジ孔２２ａに第２プレート３の長孔３１ａを対応させること
により、ネジ止めを所望の位置とすることができ、第１プレート２と第２プレート３は、
遊嵌されることとなる。
【００１９】
第２プレート３の第２面３２は、第１面３１の一方端から鈍角αをもって垂下しており
、電話機Ｔが搭載される。後述するように、通常の使用状態において、第２面３２は、そ
の下部がパーテーションＰから離間するように傾斜する。これにより、電話機Ｔを取り付
ける第２プレート３が側面視で電話機Ｔの下方側（テンキー等のボタン類が多数形成され
ている側）が突き出すように傾斜して固定されるため、電話機Ｔの操作性を良くすること
ができる。第２面３２には、ネジ孔３２ａが上下の２か所に設けられている。ネジ孔３２
ａは、電話機Ｔの裏面に所定のピッチで設けられた壁掛け穴Ｔ１と係合する係合部４（図
２（ａ）及び図２（ｂ）参照）を取り付けるためのものである。上下のネジ孔３２ａのピ
ッチは、電話機Ｔを壁掛けで使用するときの壁掛け穴Ｔ１のピッチ（スイッチボックスの
取付穴のピッチと同じ）で形成されており、電話機Ｔに追加的な構造の改変をすることな
く、壁掛け状態のときと同様の状態で取り付け得るため、安定して固定することができる
。
【００２０】
なお、ネジ孔３２ａは、電話機Ｔの搭載位置を調整するため、図示した位置よりも下方
にずれた位置に、追加的に上下一対のネジ孔３２ａを設けてもよい。
【００２１】
第２プレート３の第３面３３は、第２面３２の下部から鋭角βをもって第１面３１と同
方向に延在しており、取付用ブラケット１や電話機Ｔの重量をパーテーションＰに伝えて
支持する。後述するように、通常の使用状態において、第３面３３は、パーテーションＰ
に向かって延在する。
【００２２】
第２プレート３の第４面３４は、第３面３３の端部から上方に向かって延在しており、
パーテーションＰに当接する。後述するように、通常の使用状態において、第４面３４は
、パーテーションＰに沿って延在する。第４面３４には、ネジ孔３４ａが左右の２か所に
設けられている。ネジ孔３４ａは、後述するように、第４面３４とパーテーションＰとの
距離を調整する第１調整部材５（図６参照）を取り付けるためのものである。なお、ここ
では第４面３４が上方に向かって延在する場合を説明しているが、第４面３４は、第３面
３３の端部から下方に向かって延在してもよく、要するに、第３面３３の端部からパーテ
ーションＰの表面Ｐ２に沿って延在していればよい。
【００２３】
図２（ａ）及び図２（ｂ）には、第１プレート２と第２プレート３の位置関係を示して
おり、（ａ）は組立前を、（ｂ）は組立後を示している。ここでは、第１プレート２の第
１面２１が第２プレート３の第１面３１に遊嵌された例を示している。
【００２４】
図２（ａ）及び図２（ｂ）には、前述した要素に加え、第２プレート３の第２面３２の
ネジ孔３２ａに、電話機Ｔの裏面に所定のピッチで設けられた壁掛け穴Ｔ１と係合する係
合部４を取り付けた態様を示している。また、第１プレート２の第２面２２の内側、すな
わちパーテーションＰに当接する面に緩衝部材６を設けた態様を示している。緩衝部材６
は、当該箇所以外にも、パーテーションＰに当接する面に選択的に設ければよい。
【００２５】
次に、本実施形態に係る取付用ブラケット１を、主に机間に立設されたパーテーション
Ｐに取り付ける態様について、図３から図８を参照して、詳しく説明する。
【００２６】
図３は、パーテーションＰの厚みＷが相対的に厚い場合を図示している。本願では、図
３に示した態様を通常の使用状態と呼ぶ。この場合、第１プレート２の第１面２１と第２
プレート３の第１面３１をパーテーションＰの天面Ｐ３上でネジ止めすることによって、
パーテーションＰの厚みＷに対応する。図３では、第１プレート２の第１面２１の前側の
ネジ孔２１ａと、第２プレート３の第１面３１の長孔３１ａの後端を合わせた場合を示し
ているが、パーテーションＰの厚みＷに応じて、第１プレート２の第１面２１の後側のネ
ジ孔２１ａを用いたり、第２プレート３の第１面３１の長孔３１ａの中間部を用いたりし
て調整可能であることは、もちろんである。
【００２７】
図３では、緩衝部材６は、第１プレート２の第１面２１の内側でパーテーションＰの天
面Ｐ３に当接する箇所、第１プレート２の第２面２２の内側でパーテーションＰの裏面Ｐ
１に当接する箇所、第２プレート３の第２面３２の内側でパーテーションＰの表面Ｐ２に
当接する箇所、第２プレート３の第４面３４の外側でパーテーションＰの表面Ｐ２に当接
する箇所の計４か所に設けられている（それぞれ左右一対。以下同様）。なお、本明細書
では、パーテーションＰの両面を裏面Ｐ１と表面Ｐ２とに使い分けて説明しているが、こ
れは実施形態の理解の便宜を考慮したものであり、技術的合理性の範囲で裏面Ｐ１と表面
Ｐ２は相対的に読み替えて差し支えない。
【００２８】
図４は、パーテーションＰの厚みＷが相対的に中程度の場合を図示している。この場合
、第１プレート２の第２面２２と第２プレート３の第１面３１をパーテーションＰの天面
Ｐ３上でネジ止めすることによって、パーテーションＰの厚みＷに対応する。図４では、
第１プレート２の第２面２２の前側のネジ孔２２ａと、第２プレート３の第１面３１の長
孔３１ａの前端を合わせた場合を示しているが、パーテーションＰの厚みＷに応じて、第
１プレート２の第２面２２の後側のネジ孔２２ａを用いたり、第２プレート３の第１面３
１の長孔３１ａの中間部を用いたりして調整可能であることは、もちろんである。
【００２９】
図４では、緩衝部材６は、第１プレート２の第２面２２の内側でパーテーションＰの天
面Ｐ３に当接する箇所、第１プレート２の第１面２１の内側でパーテーションＰの裏面Ｐ
１に当接する箇所、第２プレート３の第２面３２の内側でパーテーションＰの表面Ｐ２に
当接する箇所、第２プレート３の第４面３４の外側でパーテーションＰの表面Ｐ２に当接
する箇所の計４か所に設けられている。
【００３０】
図５は、パーテーションＰの厚みＷが相対的に薄い場合を図示している。この場合、反
転した第１プレート２の第２面２２と第２プレート３の第１面３１をネジ止めすることに
よって、パーテーションＰの厚みＷに対応する。図５では、第１プレート２の第２面２２
の前側（反転しない状態においては後側）のネジ孔２２ａと、第２プレート３の第１面３
１の長孔３１ａの中間部を合わせた場合を示しているが、パーテーションＰの厚みＷに応
じて、第１プレート２の第２面２２の後側（反転しない状態においては前側）のネジ孔２
２ａを用いたり、第２プレート３の第１面３１の長孔３１ａの前端を用いたりして調整可
能であることは、もちろんである。
【００３１】
図５では、緩衝部材６は、第１プレート２の第１面２１の外側でパーテーションＰの裏
面Ｐ１に当接する箇所、第２プレート３の第１面３１の内側でパーテーションＰの天面Ｐ
３に当接する箇所、第２プレート３の第２面３２の内側でパーテーションＰの表面Ｐ２に
当接する箇所、第２プレート３の第４面３４の外側でパーテーションＰの表面Ｐ２に当接
する箇所の計４か所に設けられている。
【００３２】
図６は、図３のパーテーションＰの厚みＷにおいて、電話機Ｔの下部がユーザからみて
手前側となるように設定した場合を図示している。この場合、図３で説明した態様に加え
て、第２プレート３の第４面３４のネジ孔３４ａに第１調整部材５を取り付ける。第１調
整部材５は、ユーザの好みに応じてパーテーションＰとの距離を任意に調整できるようネ
ジ構造となっている。これにより、電話機Ｔの下方側（テンキー等のボタン類が多数形成
されている側）の傾斜角度の調整範囲を広く取れるため、各ユーザが自分の操作しやすい
傾斜角度に調整ができる。
【００３３】
図６では、緩衝部材６は、ほぼ図３の場合と同様に設けられているが、第２プレート３
の第２面３２の傾斜が緩勾配となることにより、第１プレート２の第１面２１はパーテー
ションＰの天面Ｐ３から浮く状態となる。それにより、第２プレート３の第２面３２の内
側の緩衝部材６は、パーテーションＰの表面Ｐ２と天面Ｐ３との間の角部に当接する。ま
た、第２プレート３の第４面３４の外側の緩衝部材６は、第１調整部材５を取り付けたこ
とにより、パーテーションＰの表面Ｐ２に当接しないこととなるので、設けない態様とし
ても差し支えない。
【００３４】
図７は、図３のパーテーションＰの厚みＷにおいて、電話機Ｔの上部がユーザからみて
手前側となるように設定した場合を図示している。この場合、図３で説明した態様に加え
て、第２プレート３の第２面３２の上部に追加的にネジ孔３２ｂを設け、第２調整部材７
を取り付ける。第２調整部材７は、ユーザの好みに応じてパーテーションＰとの距離を任
意に調整できるようネジ構造となっている。これにより、パーテーションＰの高さによっ
て電話機Ｔが相対的に高い位置に取り付けられるような場合、第２調整部材７によって電
話機Ｔの下方側（テンキー等のボタン類が多数形成されている側）が下斜め方向に向くよ
うに第２プレート３の傾斜角度を調整することができ、操作性を確保することができる。
なお、電話機Ｔの受話器はその本体に係止されているため、電話機Ｔの上方側が手前にな
っても受話器は本体から落下することはない。
【００３５】
図７では、第２プレート３の第１面３１がパーテーションＰの天面Ｐ３から前側（ユー
ザ側）に張り出すこととなるため、その張り出しの程度やパーテーションＰの厚みＷに応
じて、第１プレート２を少し大きなものとすることが好ましい。図７では、第１プレート
２の第１面２１をパーテーションＰの裏面Ｐ１に当接させたうえで、第２面２２に延長面
２３を接合させ、その延長面２３を第２プレート３の第１面３１にネジ止めした例を示し
ている。
【００３６】
緩衝部材６は、ほぼ図３の場合と同様に設けられているが、第１プレート２の第１面２
１の内側の緩衝部材６は、パーテーションＰの裏面Ｐ１と天面Ｐ３の後側の角部に当接し
、第１プレート２の延長面２３の内側の緩衝部材６は、パーテーションＰの表面Ｐ２と天
面Ｐ３の前側の角部に当接する。第２プレート３の第２面３２の内側の緩衝部材６は、第
２調整部材７を取り付けたことにより、パーテーションＰの表面Ｐ２に当接しないことと
なるので、設けない態様としても差し支えない。第２プレート３の第４面３４の外側の緩
衝部材６は、パーテーションＰの表面Ｐ２に当接する。
【００３７】
図８は、図３において、パーテーションＰの両面に合わせて２つの電話機Ｔを配置する
ため、パーテーションＰの裏面Ｐ１にも取付用ブラケット１を取り付けた場合を図示して
いる。この場合、図３で説明した態様に加えて、パーテーションＰの裏面Ｐ１側に位置す
る第１プレート２を覆うように、別の第２プレート３を重ねて取り付ける。図８では、パ
ーテーションＰの天面Ｐ３上において、第１プレート２の第１面２１、第２プレート３の
第１面３１、別の第２プレート３の第１面３１が、下から順に重なるようにネジ止めされ
た例を示している。
【００３８】
さらに、図８の態様では、別の第２プレート３の第４面３４がパーテーションＰの裏面
Ｐ１から浮いてしまうため、第４面３４のネジ孔３４ａに前述の第１調整部材５を取り付
けて、第１調整部材５がパーテーションＰの裏面Ｐ１に当接するように調整する。このよ
うにパーテーションＰの両面に容易に合わせて２つの電話機Ｔを配置できることから、向
かいの席で同じ位置に取り付けるような場合、第１プレート２を共有できるため、部品点
数やコストの削減が可能である。
【００３９】
図８では、緩衝部材６は、第１プレート２及び左側の第２プレート３については、図３
の場合と同様に設けられている。右側の別の第２プレート３については、図６の第２プレ
ート３と同様に設けられており、別の第２プレート３の第２面３２の内側の緩衝部材６は
、第１プレート２の第２面２２の外側に当接し、別の第２プレート３の第４面３４の外側
の緩衝部材６は、第１調整部材５を取り付けたことにより、パーテーションＰの表面Ｐ２
に当接しないこととなるので、設けない態様としても差し支えない。
【００４０】
以上のような構成としたことから、本実施形態に係る取付用ブラケット１は、以下のよ
うな効果を奏する。
（１）第１プレート２と第２プレート３を種々の態様に組み合わせることにより、パーテ
ーションＰの厚みＷが異なっても対応可能で、電話機Ｔを取り付ける第２プレート３が側
面視で電話機Ｔの下方側（テンキー等のボタン類が多数形成されている側）が突き出すよ
うに傾斜して固定されるため、操作性が良い。
（２）第２プレート３に設けられる係合部４のピッチが、電話機Ｔを壁掛けで使用すると
きの壁掛け穴Ｔ１のピッチ（スイッチボックスの取付穴のピッチと同じ）で形成されてお
り、電話機Ｔに構造を追加することなく、壁掛け状態のときと同様の状態で取り付けるた
め安定して固定される。
（３）第１調整部材５によって電話機Ｔの下方側（テンキー等のボタン類が多数形成され
ている側）の傾斜角度の調整範囲を広く取れるため、各ユーザが自分の操作しやすい傾斜
角度に調整ができる。
（４）パーテーションＰの高さによって電話機Ｔが相対的に高い位置に取り付けられるよ
うな場合、第２調整部材７によって電話機Ｔの下方側（テンキー等のボタン類が多数形成
されている側）が下斜め方向に向くように第２プレート３の傾斜角度を調整することがで
き、操作性を確保することができる。
（５）第１プレート２と第２プレート３の組み合わせ構造としたことにより、パーテーシ
ョンＰの両面に第２プレート３を取り付けることが容易であり、例えば、向かいの席で同
じ位置に取り付ける場合、第１プレート２を共有できるため、部品点数やコストの削減が
可能である。
【００４１】
以上、実施形態について説明したが、本発明は、具体的な実施形態に限定されるもので
はなく、種々の変更を行ったものも含まれるものであり、そのことは、当業者にとって特
許請求の範囲の記載から明らかである。
【符号の説明】
【００４２】
１…取付用ブラケット
２…第１プレート
２１…第１面（第１プレートの）
２１ａ…ネジ孔
２２…第２面（第１プレートの）
２２ａ…ネジ孔
２３…延長面
３…第２プレート
３１…第１面（第２プレートの）
３１ａ…長孔
３２…第２面（第２プレートの）
３２ａ…ネジ孔
３２ｂ…ネジ孔
３３…第３面（第２プレートの）
３４…第４面（第２プレートの）
３４ａ…ネジ孔
４…係合部
５…第１調整部材
６…緩衝部材
７…第２調整部材
Ｐ…パーテーション
Ｐ１…裏面（パーテーションの）
Ｐ２…表面（パーテーションの）
Ｐ３…天面（パーテーションの）
Ｔ…電話機
Ｔ１…壁掛け穴
【図１】
2019033314.tif 000003
【図２】
2019033314.tif 000004
【図３】
2019033314.tif 000005
【図４】
2019033314.tif 000006
【図５】
2019033314.tif 000007
【図６】
2019033314.tif 000008
【図７】
2019033314.tif 000009
【図８】
2019033314.tif 000010